(57)【特許請求の範囲】
【請求項１】
スピーカユニットと、当該スピーカユニットを収容するハウジングと、前記スピーカユニットの音響放射側にて前記ハウジングに取り付けられる環状の耳接触部を備え、
前記ハウジングには、内部空間と、該内部空間とは別の空気室とが設けられ、前記耳接触部の内側の空間は、リスナーの耳内と連通するとともに、前記空気室及び前記内部空間を介して外部と連通しており、
前記空気室は、前記ハウジングの互いに対向する外周壁部と内周壁部で形成され、前記外周壁部には外部と連通する第１の孔部が形成され、前記内周壁部には前記ハウジングの内部空間に連通する第２の孔部が形成され、前記第１の孔部と前記第２の孔部とは互いに対向しないように前記ハウジングの外周部に沿った異なる位置にあることを特徴とするヘッドホン。
【請求項２】
前記内部空間は、前記空気室の通気性を有する部材を介して外部と連通することを特徴とする請求項１記載のヘッドホン。
【発明の詳細な説明】
【技術分野】
【０００１】
本発明は、ヘッドホンに関するものである。
【背景技術】
【０００２】
ヘッドホンは、スピーカユニットと、スピーカユニットの背面側を囲むハウジングと、スピーカユニットの前面側に設けられる耳接触部を備えている。ここでいうヘッドホンは、左右一対のハウジングがヘッドバンドなどで連結されているものだけでなく、ユーザの耳にハウジングを直接支持させるイヤホンタイプのものや、ハウジングがマイク装置を備える所謂ヘッドセットを含んでいる。【０００３】
このようなヘッドホンは、ハウジングに孔を開けることでハウジング内の空間を外部と連通させたものが知られている。下記特許文献１には、音響変換器（スピーカユニット）の構造を変えることなく、音響変換器の背面側の音響等価回路を変えることによって低音域におけるレスポンスを改善することを目的として、音響変換器が取り付けられた筐体（ハウジング）が音響変換器の後面より出る音を外部に放出するためのダクト部を具備するものが記載されている。
【先行技術文献】
【特許文献】
【０００４】
【特許文献１】特開平７−１７０５９１号公報
【発明の概要】
【発明が解決しようとする課題】
【０００５】
ヘッドホンにおいて、スピーカユニットの背面側を囲むハウジングに孔などを開口し、ハウジング内の空間と外部を連通させた場合、外部の雑音がハウジング内の空間に入りやすくなり、振動板や音響フィルタなどの通気性を有するスピーカユニットの構成部材を通過して、ハウジング内に入った雑音がリスナーの耳に届くことになる。この場合、リスナーはスピーカユニットが発する音とともに外部の雑音を聴くことになるので、スピーカユニットの再生音を明瞭に聴くことができない問題が生じる。【０００６】
本発明は、このような問題に対処することを課題の一例とするものである。すなわち、スピーカユニットの背面側を囲むハウジング内の空間を外部に連通させた場合に、外部からの雑音をリスナーが聞こえにくくすることができること、等が本発明の目的である。
【課題を解決するための手段】
【０００７】
このような目的を達成するために、本発明によるヘッドホンは、以下の構成を少なくとも具備するものである。
スピーカユニットと、当該スピーカユニットを収容するハウジングと、前記スピーカユニットの音響放射側にて前記ハウジングに取り付けられる環状の耳接触部を備え、前記ハウジングには、内部空間と、該内部空間とは別の空気室とが設けられ、前記耳接触部の内側の空間は、リスナーの耳内と連通するとともに、前記空気室及び前記内部空間を介して外部と連通しており、前記空気室は、前記ハウジングの互いに対向する外周壁部と内周壁部で形成され、前記外周壁部には外部と連通する第１の孔部が形成され、前記内周壁部には前記ハウジングの内部空間に連通する第２の孔部が形成され、前記第１の孔部と前記第２の孔部とは互いに対向しないように前記ハウジングの外周部に沿った異なる位置にあることを特徴とするヘッドホン。
【図面の簡単な説明】
【０００８】
【図１】本発明の一実施形態に係るヘッドホンの外観図である。
【図２】本発明の一実施形態に係るヘッドホンの具体的な構造を示した説明図である。
【図３】本発明の一実施形態に係るヘッドホンの具体的な構造を示した説明図である。
【図４】本発明の一実施形態に係るヘッドホンの具体的な構造を示した説明図である。
【図５】本発明の一実施形態に係るヘッドホンの具体的な構造を示した説明図である。
【図６】本発明の実施形態に係るヘッドホンの他の形態例を示した説明図である。
【発明を実施するための最良の形態】
【０００９】
以下、図面を参照しながら本発明の実施形態を説明する。本発明の実施形態は図示の内容を含むがこれのみに限定されるものではない。図１は本発明の一実施形態に係るヘッドホンの外観図である。図示のヘッドホン１は、左右のヘッドホンユニット１Ａ，１Ｂと、これらヘッドホンユニット１Ａ，１Ｂを連結するハンガー（ヘッドバンド）１Ｃを備えている。ヘッドホンユニット１Ａ，１Ｂは、スピーカユニットを収容するハウジング２と耳接触部３をそれぞれ備えている。ハンガー１Ｃの両端部１Ｃ１，１Ｃ２は腕部１Ｄの連結部１Ｄ１にそれぞれ接続されており、腕部１Ｄ，１Ｄは各ハウジング２，２に連結されている。【００１０】
図示のヘッドホン１は、ハウジング２の側部に複数の孔部２ａが設けられており、孔部２ａによってハウジング２の内部空間が耳接触部３の外側におけるハウジング２の外部と連通している。ヘッドホン１は、孔部２ａによってハウジング２の内部空間によるコンプライアンスを調整でき、コンプライアンスが調整されることによって周波数特性、特に低音域の周波数特性を調整することができる。【００１１】
図２〜図５は、本発明の一実施形態に係るヘッドホンの具体的な構造を示した説明図である。図２は、一方のヘッドホンユニットの内部構造を示した断面図である。ヘッドホン１（ヘッドホンユニット１Ａ（１Ｂ））は、前述したように、スピーカユニット１０と、スピーカユニット１０の少なくとも背面側を囲むハウジング２と、スピーカユニット１０の前面側に設けられる耳接触部３を備えている。【００１２】
スピーカユニット１０は、振動板１１と、振動板１１に連結されるボイスコイル１２と、ボイスコイル１２が配置される磁気ギャップを有する磁気回路１３と、エッジ１４を介して振動板１１の外周部を支持するフレーム１５を備えている。磁気回路１３は、フレーム１５に支持されるか、または後述する連結部２０によって支持されている。磁気回路１３は、プレート１３Ａと磁石１３Ｂとヨーク１３Ｃを備えており、プレート１３Ａとヨーク１３Ｃの間に前述した磁気ギャップが形成されている。スピーカユニット１０の構成はこれに限らず、磁石とヨークとの間に磁気ギャップを形成するなど、各種の周知な形態を採用することができる。【００１３】
ハウジング２は、スピーカユニット１０が連結される連結部２０とスピーカユニット１０の背面側を囲む筐体部２１を備えている。筐体部２１は、外周筒部２１Ｂと面部２１Ｃとを備える。連結部２０は、スピーカユニット１０を支持する支持部分２０Ａを備えている。支持部分２０Ａはハウジング２の内側に突出してスピーカユニット１０のフレーム１５を支持している。筐体部２１の外周筒部２１Ｂには、腕部１Ｄが回転自在に取り付けられている。筐体部２１の面部２１Ｃの一部は、カバー部材２１Ａで覆われている。【００１４】
耳接触部３は環状の弾性部材３Ａと弾性部材３Ａを覆う被覆部材３Ｂとで構成されている。耳接触部３は、スピーカユニット１０の音響放射側にてハウジング２に取り付けられている。耳接触部３はリスナーの耳に接触することで、ハウジング２の外部を耳接触部３の内側の空間（外部空間Ｓ１）と耳接触部３の外側における外部Ｓ２に区分けしている。耳接触部３の内側におけるハウジング２の外部空間Ｓ１はリスナーの耳内と連通する空間である。耳接触部３の外側におけるハウジング２の外部Ｓ２は、耳接触部３によって耳内の空間と区分けされている。【００１５】
ヘッドホンユニット１Ａ（１Ｂ）においては、ハウジング２の内部空間２Ｓは、耳接触部３の内側におけるハウジング２の外部空間Ｓ１と連通している。具体的には、ハウジング２の連結部２０が備える開口部２０Ｃを介して、ハウジング２の内部空間２Ｓは耳接触部３の内側におけるハウジング２の外部空間Ｓ１と連通している。また、スピーカユニット１０が通気性を有する振動板１１等の構成部材を有する場合には、この通気性を有する構成部材を介して、ハウジング２の内部空間２Ｓは耳接触部３の内側におけるハウジング２の外部空間Ｓ１と連通している。なお、開口部２０Ｃは不織布などの通気性を有する部材で覆われていても構わない。【００１６】
ハウジング２には、ハウジング２の内部空間２Ｓとは別に空気室３０が設けられている。この空気室３０は、ハウジング２の内側又はハウジングの外側に設けられていても構わない。例えば、ハウジング２の外部側におけるハウジング２の外周側面、ハウジング２の内部空間側におけるハウジング２の内周側面、又はハウジング２を構成する部材の内部に空気室が設けられている場合などが挙げられる。ハウジング２の内部空間２Ｓは、空気室３０を介して耳接触部３の外側におけるハウジング２の外部Ｓ２と連通している。本実施形態における空気室３０は、ハウジング２の構成部材で形成されている。すなわち、空気室３０は、ハウジング２の一部で構成されている。なお空気室３０は、ヘッドホンを構成する構成部材で形成される、又はヘッドホンの一部で構成されていても構わない。ハウジング２の内部空間２Ｓは前述した空気室３０を第１の空気室として、ハウジング２の内部空間２Ｓを第２の空気室として備える。【００１７】
図３は、ハウジングにおける空気室の構成を示した拡大断面図である。ハウジング２は、壁部（側部）において、壁部の一部が２重構造を備えており、外側壁部３１と内側壁部３２を備えている。空気室（第１の空気室）３０は、耳接触部３の外側におけるハウジング２の外部Ｓ２に対面する外側壁部３１とハウジング２の内部空間２Ｓに対面する内側壁部３２の間に配置されている。外側壁部３１は第１の孔部３４を備える。内側壁部３２は第２の孔部３５を備える。第１の孔部３４は、前述した孔部２ａであり、図示の例ではハウジング２の外周側面２ｂ（外周筒部２１Ｂ）に設けられている。また、ハウジング２は、外側壁部３１と内側壁部３２との間を横断する横断壁部３３を備える。この横断壁部３３は、外側壁部３１と内側壁部３２に対して交差する方向にて延在する。空気室３０は、外側壁部３１と内側壁部３２と横断壁部３３によって囲まれている。【００１８】
図示の例では、ハウジング２は、連結部２０の構成部材と筐体部２１の構成部材を接続して構成されている。空気室（第１の空気室）３０は、連結部２０と筐体部２１の接続位置の近傍に設けられる。詳細には、ハウジング２の径方向における、連結部２０と筐体部２１の接続位置に設けられている。また、空気室３０は、連結部２０の一部と筐体部２１に一部とで構成される、又は連結部２０全体と筐体部２１全体とで構成されていても構わない。【００１９】
図４は、ハウジングの各部及び耳接触部を分離した状態を示した説明図である。ここでは、スピーカユニット１０を取り除いた状態の連結部２０の構成例を示している。連結部２０は、スピーカユニット１０をハウジング２に支持する支持部分２０Ａと、スピーカユニット１０の音響放射面に対向した保護部分２０Ｂとを備えている。支持部分２０Ａおよび保護部分２０Ｂはそれぞれ開口部２０Ｃを有する。開口部２０Ｃは、ハウジング２の内部空間２Ｓと外部空間Ｓ１とを連通させている。【００２０】
図示の例では、連結部２０には、空気室３０の一部が形成されている。連結部２０は内側壁部３２が内部空間２Ｓ側に設けられている。ハウジング２側における内側壁部３２には、第２の孔部３５の一部が凹状に形成されている。空気室３０の一部は、連結部２０の外周部に沿って形成されている。図示の例では、空気室３０の一部が連結部２０に２箇所形成されている。【００２１】
連結部２０の支持部分２０Ａは、スピーカユニット１０を支持しつつ、スピーカユニット１０の外周部１０ａ（図２参照）と内側壁部３２との間に設けられている。また、連結部２０の支持部分２０Ａは耳接触部３に対面する側に配置されている。また、耳接触部３と支持部分２０Ａとの間には間隙２０Ｄ（図３参照）が設けられている。ハウジング２の内部空間２Ｓ（第２の空気室）は、間隙２０Ｄと支持部分２０Ａの開口部２０Ｃを介して、耳接触部３の内側におけるハウジング２の外部空間Ｓ１と連通する。このような間隙２０Ｄを設けることで、連結部２０の支持部分２０Ａが耳接触部３に覆われていても、第２の空気室（内部空間２Ｓ）と耳接触部３の内側におけるハウジング２の外部空間Ｓ１とを連通させることができ、低音域での音響特性を改善することができる。【００２２】
一方、空気室３０（第１の空気室）は、ハウジング２の内部空間２Ｓからハウジング２の外部Ｓ２に向かう方向（径方向Ｒ）において、支持部分２０Ａの開口部２０Ｃに対してハウジング２の外部側に設けられている。空気室３０をスピーカユニット１０に対してハウジング２の外部側に設けることで、ハウジング２側の空間を省スペース化でき、スピーカユニット１０のできるだけ大型化することができる。【００２３】
ヘッドホン１は、空気室３０を第１の空気室とすると、内側壁部３２とスピーカユニット１０との間には、第２の空気室（内部空間２Ｓ）が設けられている。この第２の空気室（内部空間２Ｓ）は、第１の空気室（空気室３０）を介して耳接触部３の外側におけるハウジング２の外部Ｓ１と連通している。また、第２の空気室（内部空間２Ｓ）は、連結部２０の開口部２０Ｃ又はスピーカユニット１０の通気性を有する構成部材を介して耳接触部３の内側におけるハウジング２の外部空間Ｓ１と連通している。【００２４】
図５は、ハウジング２の断面形状であり、空気室３０及び第１及び第２の孔部の配置構成を示した説明図である。図示の形態例では、空気室３０は、ハウジング２の外周部に沿って延在している。空気室３０から耳接触部３の外側におけるハウジング２の外部Ｓ２に連通する第１の孔部３４の位置と、空気室３０からハウジング２の内部空間２Ｓ（第２の空気室）内に連通する第２の孔部３５の位置とが対向しないように、第１の孔部３４と第２の孔部３５の位置はハウジング２の外周部に沿って異なっている。これによると、耳接触部３の外側におけるハウジング２の外部Ｓ２からハウジング２内に入り込む雑音は、空気室３０の壁部に反射して、雑音の音波としての伝播経路は屈折される。すなわち、雑音が空気室３０内での反射等によってハウジング２の内部空間２Ｓ（第２の空気室）内へ侵入することを抑制することができる。【００２５】
このような形態例を備えるヘッドホン１は、ハウジング２の内部空間２Ｓを耳接触部３の外側におけるハウジング２の外部Ｓ２と連通させていることで、スピーカユニット１０に対するハウジング２側における空間の大きさを実質的に拡大させることができ、スピーカユニット１０の低音域特性を改善することが可能になる。その際に、耳接触部３の外側におけるハウジング２の外部Ｓ２からハウジング２の内部空間内に雑音が入り込むが、雑音の伝播経路上における、耳接触部３の外側におけるハウジング２の外部Ｓ２とハウジング２の内部空間との間に第１の空気室（空気室３０）を設けることで、耳接触部３の内側におけるハウジング２の外部空間Ｓ１に伝播する雑音を低減させることができる。これによって、ヘッドホン１の遮音性を向上させることができる。【００２６】
ここで、空気室３０とハウジング２の外部Ｓ２又はハウジング２の内部空間２Ｓとの連通の形態は、前述した第１の孔部３４と第２の孔部３５を設けることによる形態に限定されるものではなく、通気性を有する部材やスリットなどによる連通形態であってもよい。また、第１の孔部３４、第２の孔部３５、これら孔部を有する空気室３０の位置は、ハウジング２（筐体部）の外周筒部だけでなく、ハウジング２（筐体部）の面部などに設けることができる。【００２７】
図６は、本発明の実施形態に係るヘッドホンの他の形態例を示した説明図である。このヘッドホン１００は、前述した耳接触部３が耳挿入体１０１によって構成されているイヤホンタイプのものである。このヘッドホン１００は、ハウジング２内にスピーカユニット１０が設けられている。スピーカユニット１０には音声信号をスピーカユニットに入力する配線１０２が接続され、ハウジング２の内側から外部へ引き出されている。ハウジング２内の内部空間２Ｓにはダンパ１０３が設けられている。そして、ハウジング２には、空気室３０が設けられ、また、第１の孔３４と第２の孔３５が設けられている。このようなヘッドホン１００においても、前述した実施形態と同様に、スピーカユニット１０の低音域特性を改善することができると共に、遮音性が比較的高いヘッドホン１００を得ることができる。【００２８】
このようなヘッドホン１，１００は、音を出力する各種の電子機器に接続又は搭載することができる。このようなヘッドホン１，１００が接続又は搭載された電子機器（例：携帯電話等）は、雑音が少なく、良質な音響特性で音を試聴することができる。【００２９】
以上、本発明の実施の形態について図面を参照して詳述してきたが、具体的な構成はこれらの実施の形態に限られるものではない。各実施形態に記載される技術的事項を組み合わせること、本発明の要旨を逸脱しない範囲の設計の変更等があっても本発明に含まれる。
【図１】
0005902202.tif 000002
【図２】
0005902202.tif 000003
【図３】
0005902202.tif 000004
【図４】
0005902202.tif 000005
【図５】
0005902202.tif 000006
【図６】
0005902202.tif 000007